(57)【特許請求の範囲】
【請求項１】
崩壊あるいは転落しそうな岩盤や岩塊のある地山斜面上に、縦横に張設して交差部を締結固定した押さえワイヤーを掛け渡し、この押さえワイヤーの所要位置に、基端部を地山斜面に固定した牽引ワイヤーを連結し、この牽引ワイヤーにシリンダの内部に挿嵌したピストンの前後のシリンダ室に油を充填し、そのピストンロッドをスライド自在に挿通した軸受にこれとピストンロッドを貫通してシヤーピンを差し込んだ油圧ダンパーを連結し、この油圧ダンパー付き牽引ワイヤーにより押さえワイヤーを地山斜面側に引き寄せて緊張し、これによって岩盤や岩塊を圧締して強力に拘束固定することを特徴とする落石抑止抑制工法。
【発明の詳細な説明】
【０００１】
【発明の属する技術分野】
この発明は、道路や鉄道の自然又は造成斜面において、崩壊あるいは転落しそうな岩塊や転石等を抑止及び抑制するための工法に関するものである。
【０００２】
【従来の技術】
従来、基盤から分離した岩盤や転石にワイヤーロ−プを格子状に巻付けたり、ロープネットで包囲するロープ掛け工やロ−プネット工、あるいは崩壊の危険がある岩塊や岩盤が位置する斜面の下方に高張力落石防護柵を設置して落石を防止するＲＳＳ工法なども知られている。
【０００３】
また従来、安定している転石などを人力や火薬で小割りして除去する破砕工、あるいは基盤から分離した落ちそうな岩塊や転石に接着力のある注入材を注入して密着固定する岩盤密着工や、崩壊の危険がある岩塊や岩盤の前面に、コンクリート張りや受圧板を取り付けてアンカーやロックボルトで安定した岩盤に密着固定するアンカー工やロックボルト工も知られている。
【０００４】
【発明が解決しようとする課題】
従来のロープ掛け工、ロ−プネット工では岩塊に単にロープを掛けるだけなので、崩落した岩塊の斜面下方への転落を抑制できるが、崩落しそうな岩塊を拘束固定してその崩落を未然に抑止することはできない（崩壊した岩盤をロープの中に包んで保持するだけ）という課題があり、高張力落石防護柵による場合も同様である。
【０００５】
一方、岩盤密着工やアンカー工やロックボルト工などでは岩塊や岩盤を斜面上に拘束固定してその崩落を抑止ことができるが、万一岩塊や岩盤が崩壊した場合にそれらの斜面下方への転落を防止することができないと言う課題がある。
【０００６】
従って、上記いずれの落石防止工法も一つの対処手段で落石の抑制と抑止の両方の機能を満足することができないものであった。
【０００７】
【課題を解決するための手段】
崩壊あるいは転落しそうな岩盤や岩塊のある地山斜面上に、縦横に張設して交差部を締結固定した押さえワイヤーを掛け渡し、この押さえワイヤーの所要位置に、基端部を地山斜面に固定した牽引ワイヤーを連結し、この牽引ワイヤーにシリンダの内部に挿嵌したピストンの前後のシリンダ室に油を充填し、そのピストンロッドをスライド自在に挿通した軸受にこれとピストンロッドを貫通してシヤーピンを差し込んだ油圧ダンパーを連結し、この油圧ダンパー付き牽引ワイヤーにより押さえワイヤーを地山斜面側に引き寄せて緊張し、これによって岩盤や岩塊を圧締して強力に拘束固定することができ、落石の抑制と抑止の両方の機能を満足させることができる。
【０００８】
また、牽引ワイヤーには油圧ダンパーが連結され、通常の状態においてはそのピストンロッドがシヤーピンで動かないように固定されているが、強い地震時等において岩盤や岩塊が動いて押さえワイヤーを介して牽引ワイヤーに異常に大きい引張力が作用した場合に、シヤーピンが切断されてピストンロッドがフリーとなり、ピストンの油圧緩衝効果により岩塊の動きを緩衝して落石を抑制することが可能となる。
【０００９】
【発明の実施の形態】
図１に示すように、崩壊あるいは転落しそうな岩盤や岩塊１のある地山斜面２上に、縦横に張設した押さえワイヤー３，３’を掛け渡し、この押さえワイヤー３，３’の所要位置に、基端部を地山斜面２に明けたアンカー孔４に挿入してセメントミルク等の固結材５で固定した油圧ダンパー６付き牽引ワイヤー７を連結し、この牽引ワイヤー７により押さえワイヤー３，３’を地山斜面側に引き寄せて緊張し、これによって岩盤や岩塊１を圧締して強力に拘束固定する。
【００１０】
押さえワイヤー３，３’の交差部には図２及び図３に示すような交差固定ブロック８を、また牽引ワイヤー７の連結部には図４に示すような緊張定着ブロック９を用い、それぞれ縦横あるいは上下方向のワイヤーを交差状に締結する。
【００１１】
交差固定ブロック８は、周辺の一部を蝶番１０で互いに開閉自在にヒンジした上下２枚の挟着板８ａ，８ｂの内面に、互いに直交する内面が凹凸面状をなすロープ抱持溝１１ａ，１１ｂを設け、このワイヤー抱持溝１１ａ，１１ｂに縦横の押さえワイヤー３，３’をそれぞれ嵌合し、この状態で締結ボルト１２で締結した挟着板８ａ，８ｂ間に挟着固定するように構成されている。
【００１２】
緊張定着ブロック９は、周辺の一部を蝶番１３で互いに開閉自在にヒンジした上下２枚の挟着板９ａ，９ｂの内面に、互いに直交する内面が凹凸面状をなすロープ抱持溝１４ａ，１４ｂを設け、このワイヤー抱持溝１４ａ，１４ｂに縦横の押さえワイヤー３，３’をそれぞれ嵌合し、この状態で締結ボルト１５で締結した挟着板９ａ，９ｂ間に挟着固定するように構成されている。
【００１３】
さらに、上側の挟着板９ａ上には台盤状の定着ヘッド１６が設置され、この定着ヘッド１６には下向きに直径が徐々に小さくなる二つのテーパー孔１７，１７が設けられ、その内周面に複数の楔１８が環状に配置されており、挟着板９ａ，９ｂにはこれらのテーパー孔１７に連通するワイヤー通孔１９，１９が上下方向に設けられている。
【００１４】
ワイヤー通孔１９，１９及びテーパー孔１７，１７には、緊張定着ブロック９の下方で折曲した緊張定着ワイヤー２０の両端部をそれぞれ下方から通して上方に引き出しておき、下方の折曲部に牽引ワイヤー７の先端に連結した油圧ダンパー６の上端または中間に油圧ダンパー６を連結した牽引ワイヤー７を連結した上で、緊張定着ワイヤー２０を定着ヘッド１６に先端を当てがった油圧ジャッキ２１で引き上げ、これによって押さえワイヤー３，３’を緊張して岩盤や岩塊１を圧締した状態で緊張定着ワイヤー２０を楔１８で定着固定し、牽引ワイヤー７で支持して緊張状態を維持する。
【００１５】
油圧ダンパー６は、シリンダ２２の内に挿嵌したピストン２３の前後のシリンダ室に油２４を充填したもので、そのピストンロッド２５をスライド自在に挿通した軸受２６にはこれとピストンロッド２５を貫通してシヤーピン２７が差し込まれており、例えば、強い地震などで岩盤や岩塊１が揺動し、押さえワイヤー３，３’が異常に緊張して牽引ワイヤー７に過大な引張力が生じたときなどにおいて、油圧ダンパー６のシリンダー２２と共に軸受２６が移動してシヤーピン２７を切断することにより、油圧ダンパー６が作動して押さえワイヤー３，３’の極度の緊張状態を緩衝し、押さえワイヤー３，３’や牽引ワイヤー７などの切断を防止する。
【００１６】
ピストンロッド２５と牽引ワイヤー７とを連結するジョイント２８には、弾性板からなる羽根形状等の信号板２９がそれがフリーな状態のときにシリンダ２２と所要角度傾斜して突出するようにその基端において取付けられており、シヤーピン２７が軸受２６とピストンロッド２５に貫通して差し込まれているときには、信号板２９はシリンダ２２にほぼ平行をなすように強制的に押し付けられて、その先端部はシリンダ２２に取付けた鉤形の掛止片３０に係止され、この状態から上記のようにシヤーピン２７が切断されてシリンダ２２が移動したときには、掛止片３０から解放されてその弾性復元力で所要角度で突出するようになっている。
【００１７】
このように信号板２９が突出した状態の変化（板の形や板の色の変化、あるいは光の反射具合の変化）を観察することにより、岩盤や岩塊の異常事態を知ることができる。
【００１８】
油圧ダンパー６の上端にはアイボルト３１が取付けられ、これに緊張定着ワイヤー２０や牽引ワイヤー７を連結するようになっている。
【００１９】
【発明の効果】
以上の通りこの発明によれば、油圧ダンパー付き牽引ワイヤーにより押さえワイヤーを地山斜面側に引き寄せて緊張し、これによって岩盤や岩塊を圧締して強力に拘束固定することができ、落石の抑制と抑止の両方の機能を満足させることができる。
【００２０】
また、牽引ワイヤーには油圧ダンパーが連結され、通常の状態においてはそのピストンロッドがシヤーピンで動かないように固定されているが、強い地震時等において岩盤や岩塊が動いて押さえワイヤーを介して牽引ワイヤーに異常に大きい引張力が作用した場合に、シヤーピンが切断されてピストンロッドがフリーとなり、ピストンの油圧緩衝効果により岩塊の動きを緩衝して落石を抑制することが可能となる。
【図面の簡単な説明】
【図１】この発明による岩塊の拘束状態を示す縦断側面図である。
【図２】この発明に用いる交差固定ブロックの平面図である。
【図３】この発明に用いる交差固定ブロックの縦断側面である。
【図４】この発明に用いる緊張定着ブロックの平面図である。
【図５】この発明に用いる緊張定着ブロックの縦断側面である。
【図６】この発明に用いる油圧ダンパーの縦断側面図である。
【図７】この発明に用いる油圧ダンパーの正面図である。
【符号の説明】
１  岩盤や岩塊
２  地山斜面
３  押さえワイヤー
３’  押さえワイヤー
４  アンカー孔
５  固結材
６  油圧ダンパー
７  牽引ワイヤー
８  交差固定ブロック
８ａ    挟着板
８ｂ    挟着板
９  緊張定着ブロック
１０  蝶番
１１ａ    ロープ抱持溝
１１ｂ    ロープ抱持溝
１２  締結ボルト
１３  蝶番
１４ａ  ワイヤー抱持溝
１４ｂ    ワイヤー抱持溝
１５  締結ボルト
１６  定着ヘッド
１７  テーパー孔
１８  楔
１９  ワイヤー通孔
２０  緊張定着ワイヤー
２１    油圧ジャッキ
２２    シリンダ
２３    ピストン
２４    油
２５  ピストンロッド
２６    軸受
２７  シヤーピン
２８    ジョイント
２９  信号板
３０  掛止片
３１  アイボルト
【図１】
0003581016.tif 000002
【図２】
0003581016.tif 000003
【図３】
0003581016.tif 000004
【図４】
0003581016.tif 000005
【図５】
0003581016.tif 000006
【図６】
0003581016.tif 000007
【図７】
0003581016.tif 000008